(57)【要約】【課題】ユーザが検索条件に応じてコンテンツ関連情報に対する検索を始めてから所望のコンテンツに対する処理を選択するまでにかかる時間を低減することが可能な、新規かつ改良された技術を提供する。【解決手段】情報処理装置１００は、入力部１２０によって入力が受け付けられた検索条件を含む検索要求を１以上の情報管理装置のそれぞれに送信する処理を送受信部１１０に実行させ、検索要求の応答としてコンテンツ情報のうちで検索条件に応じたコンテンツ情報とコンテンツ情報を管理する情報管理装置を識別するための管理主体識別情報とを、ネットワークを介して１以上の情報管理装置のそれぞれから受信する処理を送受信部１１０に実行させ、管理主体識別情報と送受信部１１０によって受信されたコンテンツ情報に含まれるコンテンツ識別情報およびコンテンツ関連情報とを対応付けて検索結果として記憶部１４０に記憶させる検索処理部１３２を備える。【選択図】図２
2010267094.tif 000002
【特許請求の範囲】
【請求項１】
コンテンツデータを識別するためのコンテンツ識別情報と前記コンテンツデータに関連するコンテンツ関連情報とを含むコンテンツ情報を１以上管理する１以上の情報管理装置のそれぞれとの間においてネットワークを介して情報の送受信を行うことが可能である送受信部と、
情報を記憶することが可能である記憶部と、
情報を表示することが可能である表示部と、
情報の入力を受け付けることが可能である入力部と、
前記入力部によって入力が受け付けられた検索条件を含む検索要求を前記１以上の情報管理装置のそれぞれに送信する処理を前記送受信部に実行させる検索要求制御処理を行い、前記検索要求の応答として前記コンテンツ情報のうちで前記検索条件に応じた前記コンテンツ情報と当該コンテンツ情報を管理する前記情報管理装置を識別するための管理主体識別情報とを、前記ネットワークを介して前記１以上の情報管理装置のそれぞれから受信する処理を前記送受信部に実行させる検索応答制御処理を行い、前記管理主体識別情報と前記送受信部によって受信された前記コンテンツ情報に含まれる前記コンテンツ識別情報および前記コンテンツ関連情報とを対応付けて検索結果として前記記憶部に記憶させる記憶制御処理を行う検索処理部と、
前記検索結果に含まれる前記コンテンツ関連情報を当該コンテンツ関連情報に対応付けられて前記記憶部に記憶されている前記管理主体識別情報毎に前記表示部に表示させる表示制御部と、
前記入力部によって前記検索結果に含まれる前記コンテンツ関連情報のうちのいずれかを選択するためのコンテンツ選択情報の入力が受け付けられると、前記コンテンツ選択情報によって選択される前記コンテンツ関連情報に対応付けられて前記検索結果に含まれている前記コンテンツ識別情報を取得し、取得した前記コンテンツ識別情報によって識別される前記コンテンツデータに対して当該コンテンツ関連情報に対応付けられて前記検索結果に含まれている前記管理主体識別情報に応じた処理を実行する処理実行部と、
を備える、情報処理装置。
【請求項２】
前記検索処理部は、
前記入力部によって前記コンテンツ関連情報に含まれる所定の文字列の中から少なくともいずれか１つを選択するための文字列選択情報の入力が受け付けられると、前記文字列選択情報によって選択される前記文字列を前記検索条件に設定して前記検索要求制御処理を行い、前記検索応答制御処理を行い、前記記憶制御処理を行う、
請求項１に記載の情報処理装置。
【請求項３】
前記記憶部は、
固有名詞をさらに記憶し、
前記表示制御部は、
前記コンテンツ関連情報を前記表示部に表示させるに際して、前記コンテンツ関連情報から前記記憶部が記憶する前記固有名詞と一致する文字列を検索し、前記固有名詞と一致する文字列を前記所定の文字列として強調表示させる、
請求項２に記載の情報処理装置。
【請求項４】
前記処理実行部は、
さらに、前記コンテンツ選択情報によって選択される前記コンテンツ関連情報と当該コンテンツ関連情報に対応付けられて前記検索結果に含まれている前記コンテンツ識別情報および前記管理主体識別情報とを対応付けて操作履歴として前記記憶部に記憶させる、
請求項１に記載の情報処理装置。
【請求項５】
前記表示制御部は、
前記入力部によって前記記憶部が記憶する前記操作履歴を表示する旨の情報の入力が受け付けられると、前記操作履歴に含まれる前記コンテンツ関連情報を当該コンテンツ関連情報に対応付けられて前記操作履歴に含まれている前記管理主体識別情報毎に前記表示部に表示させる、
請求項４に記載の情報処理装置。
【請求項６】
前記処理実行部は、
前記入力部によって前記操作履歴に含まれる前記コンテンツ関連情報のうちのいずれかを選択するためのコンテンツ選択情報の入力が受け付けられると、前記コンテンツ選択情報によって選択される前記コンテンツ関連情報に対応付けられて前記操作履歴に含まれている前記コンテンツ識別情報を取得し、取得した前記コンテンツ識別情報によって識別される前記コンテンツデータに対して当該コンテンツ関連情報に対応付けられて前記操作履歴に含まれている前記管理主体識別情報に応じた処理を実行する、
請求項５に記載の情報処理装置。
【請求項７】
前記記憶部は、
固有名詞をさらに記憶し、
前記表示制御部は、
前記入力部によって文字列の入力が受け付けられると、当該文字列を先頭部分に含む前記固有名詞を前記記憶部から抽出して前記表示部に表示させ、
前記検索処理部は、
前記入力部によって前記固有名詞を指定するための指定情報の入力が受け付けられると、当該指定情報によって指定される前記固有名詞を前記検索条件として使用する、
請求項１に記載の情報処理装置。
【請求項８】
前記記憶部は、
第１登録種別情報と第２登録種別情報と重み付けとが対応付けられてなる重み付け情報をさらに記憶し、
前記情報処理装置は、
前記記憶部に記憶されている前記検索履歴または前記操作履歴から固有名詞を抽出し、前記検索結果に含まれる前記コンテンツ関連情報から前記固有名詞を抽出した場合には前記検索結果から前記固有名詞を抽出した旨を示す情報を第１種別に設定し、前記操作履歴に含まれる前記コンテンツ関連情報から前記固有名詞を抽出した場合には前記操作履歴から前記固有名詞を抽出した旨を示す情報を前記第１種別に設定し、当該固有名詞の前記コンテンツ関連情報における区分を示す情報を前記第２種別に設定し、前記第１種別と前記第２種別とのそれぞれが一致する前記第１登録種別情報と前記第２登録種別情報とに対応付けられて前記重み付け情報に含まれている前記重み付けを取得して、取得した前記重み付けと前記固有名詞とを対応付けて固有名詞取得情報として前記記憶部に記憶させる固有名詞抽出部をさらに備え、
前記表示制御部は、
前記記憶部から前記固有名詞を抽出して前記表示部に表示させるに際して、前記固有名詞に対応付けられて前記固有名詞取得情報に含まれている前記重み付けの大きい順に並べて表示させる、
請求項７に記載の情報処理装置。
【請求項９】
コンテンツデータを識別するためのコンテンツ識別情報と前記コンテンツデータに関連するコンテンツ関連情報とを含むコンテンツ情報を１以上管理する１以上の情報管理部と、
情報を記憶することが可能である記憶部と、
情報を表示することが可能である表示部と、
情報の入力を受け付けることが可能である入力部と、
前記入力部によって入力が受け付けられた検索条件を含む検索要求を前記１以上の情報管理部のそれぞれにさらに出力する検索要求制御処理を実行し、前記検索要求の応答として前記コンテンツ情報のうちで前記検索条件に応じた前記コンテンツ情報と当該コンテンツ情報を管理する前記情報管理部を識別するための管理主体識別情報との入力を、前記１以上の情報管理部のそれぞれからさらに受け付ける検索応答制御処理を実行し、前記管理主体識別情報と入力を受け付けた前記コンテンツ情報に含まれる前記コンテンツ識別情報および前記コンテンツ関連情報とを対応付けて検索結果として前記記憶部にさらに記憶させる記憶制御処理を実行する検索処理部と、
前記検索結果に含まれる前記コンテンツ関連情報を当該コンテンツ関連情報に対応付けられて前記記憶部に記憶されている前記管理主体識別情報毎に前記表示部に表示させる表示制御部と、
前記入力部によって前記検索結果に含まれる前記コンテンツ関連情報のうちのいずれかを選択するためのコンテンツ選択情報の入力が受け付けられると、前記コンテンツ選択情報によって選択される前記コンテンツ関連情報に対応付けられて前記検索結果に含まれている前記コンテンツ識別情報を取得し、取得した前記コンテンツ識別情報によって識別される前記コンテンツデータに対して当該コンテンツ関連情報に対応付けられて前記検索結果に含まれている前記管理主体識別情報に応じた処理を実行する処理実行部と、
を備える、情報処理装置。
【請求項１０】
コンテンツデータを識別するためのコンテンツ識別情報と前記コンテンツデータに関連するコンテンツ関連情報とを含むコンテンツ情報を１以上管理する１以上の情報管理装置のそれぞれとの間においてネットワークを介して情報の送受信を行うことが可能である送受信部と、情報を記憶することが可能である記憶部と、情報を表示することが可能である表示部と、情報の入力を受け付けることが可能である入力部と、検索処理部と、表示制御部と、処理実行部とを備える情報処理装置の前記検索処理部が、前記入力部によって入力が受け付けられた検索条件を含む検索要求を前記１以上の情報管理装置のそれぞれに送信する処理を前記送受信部に実行させる検索要求制御処理を行い、前記検索要求の応答として前記コンテンツ情報のうちで前記検索条件に応じた前記コンテンツ情報と当該コンテンツ情報を管理する前記情報管理装置を識別するための管理主体識別情報とを、前記ネットワークを介して前記１以上の情報管理装置のそれぞれから受信する処理を前記送受信部に実行させる検索応答制御処理を行い、前記管理主体識別情報と前記送受信部によって受信された前記コンテンツ情報に含まれる前記コンテンツ識別情報および前記コンテンツ関連情報とを対応付けて検索結果として前記記憶部に記憶させる記憶制御処理を行うステップと、
前記表示制御部が、前記検索結果に含まれる前記コンテンツ関連情報を当該コンテンツ関連情報に対応付けられて前記記憶部に記憶されている前記管理主体識別情報毎に前記表示部に表示させるステップと、
前記処理実行部が、前記入力部によって前記検索結果に含まれる前記コンテンツ関連情報のうちのいずれかを選択するためのコンテンツ選択情報の入力が受け付けられると、前記コンテンツ選択情報によって選択される前記コンテンツ関連情報に対応付けられて前記検索結果に含まれている前記コンテンツ識別情報を取得し、取得した前記コンテンツ識別情報によって識別される前記コンテンツデータに対して当該コンテンツ関連情報に対応付けられて前記検索結果に含まれている前記管理主体識別情報に応じた処理を実行するステップと、
を含む、情報処理方法。
【請求項１１】
コンテンツデータを識別するためのコンテンツ識別情報と前記コンテンツデータに関連するコンテンツ関連情報とを含むコンテンツ情報を１以上管理する１以上の情報管理部と、情報を記憶することが可能である記憶部と、情報を表示することが可能である表示部と、情報の入力を受け付けることが可能である入力部と、検索処理部と、表示制御部と、処理実行部とを備える情報処理装置の前記検索処理部が、前記入力部によって入力が受け付けられた検索条件を含む検索要求を前記１以上の情報管理部のそれぞれにさらに出力する検索要求制御処理を実行し、前記検索要求の応答として前記コンテンツ情報のうちで前記検索条件に応じた前記コンテンツ情報と当該コンテンツ情報を管理する前記情報管理部を識別するための管理主体識別情報との入力を、前記１以上の情報管理部のそれぞれからさらに受け付ける検索応答制御処理を実行し、前記管理主体識別情報と入力を受け付けた前記コンテンツ情報に含まれる前記コンテンツ識別情報および前記コンテンツ関連情報とを対応付けて検索結果として前記記憶部にさらに記憶させる記憶制御処理を実行するステップと、
前記表示制御部が、前記検索結果に含まれる前記コンテンツ関連情報を当該コンテンツ関連情報に対応付けられて前記記憶部に記憶されている前記管理主体識別情報毎に前記表示部に表示させるステップと、
前記処理実行部が、前記入力部によって前記検索結果に含まれる前記コンテンツ関連情報のうちのいずれかを選択するためのコンテンツ選択情報の入力が受け付けられると、前記コンテンツ選択情報によって選択される前記コンテンツ関連情報に対応付けられて前記検索結果に含まれている前記コンテンツ識別情報を取得し、取得した前記コンテンツ識別情報によって識別される前記コンテンツデータに対して当該コンテンツ関連情報に対応付けられて前記検索結果に含まれている前記管理主体識別情報に応じた処理を実行するステップと、
を含む、情報処理方法。
【発明の詳細な説明】
【技術分野】
【０００１】
本発明は、情報処理装置および情報処理方法に関する。
【背景技術】
【０００２】
近年、コンテンツに対するサービスを提供するサービス提供者の数が増加しており、各サービス提供者が提供するサービスの形態にも様々なものが登場してきている。サービスの形態には、例えば、映像コンテンツを配信するビデオ配信、コンテンツが記録されたメディアを販売するメディア販売、メディアを貸し出すメディアレンタルといったものがある。
【０００３】
このような状況において、ユーザは、コンテンツに対するサービスを受けようとした場合に、例えば、コンテンツを指定するための検索条件を決めてネットワークを介して検索を行うと、サービスの形態による区別なくコンテンツ関連情報を取得することとなる。その後、ユーザは、取得したコンテンツ関連情報を閲覧して、いずれかのコンテンツに対してサービスを受けようと決めた場合には、例えば、そのサービスを提供するサービス提供者の開設するＷｅｂページにアクセスして所望のサービスを受けようとする旨の登録を行う必要がある。
【０００４】
サーバから所望のコンテンツを取得する技術には様々なものが開示されている（例えば、特許文献１参照）。
【先行技術文献】
【特許文献】
【０００５】
【特許文献１】特開２００８−１７７６８２号公報
【発明の概要】
【発明が解決しようとする課題】
【０００６】
しかしながら、上記したような技術によれば、ユーザは、検索条件に応じてコンテンツ関連情報に対する検索を始めてから所望のコンテンツに対する処理を実行するまでに多くの時間がかかるという問題があった。
【０００７】
そこで、本発明は、上記問題に鑑みてなされたものであり、本発明の目的とするところは、ユーザが検索条件に応じてコンテンツ関連情報に対する検索を始めてから所望のコンテンツに対する処理を実行するまでにかかる時間を低減することが可能な、新規かつ改良された技術を提供しようとするものである。
【課題を解決するための手段】
【０００８】
上記課題を解決するために、本発明のある観点によれば、コンテンツデータを識別するためのコンテンツ識別情報とコンテンツデータに関連するコンテンツ関連情報とを含むコンテンツ情報を１以上管理する１以上の情報管理装置のそれぞれとの間においてネットワークを介して情報の送受信を行うことが可能である送受信部と、情報を記憶することが可能である記憶部と、情報を表示することが可能である表示部と、情報の入力を受け付けることが可能である入力部と、入力部によって入力が受け付けられた検索条件を含む検索要求を１以上の情報管理装置のそれぞれに送信する処理を送受信部に実行させる検索要求制御処理を行い、検索要求の応答としてコンテンツ情報のうちで検索条件に応じたコンテンツ情報とコンテンツ情報を管理する情報管理装置を識別するための管理主体識別情報とを、ネットワークを介して１以上の情報管理装置のそれぞれから受信する処理を送受信部に実行させる検索応答制御処理を行い、管理主体識別情報と送受信部によって受信されたコンテンツ情報に含まれるコンテンツ識別情報およびコンテンツ関連情報とを対応付けて検索結果として記憶部に記憶させる記憶制御処理を行う検索処理部と、検索結果に含まれるコンテンツ関連情報をコンテンツ関連情報に対応付けられて記憶部に記憶されている管理主体識別情報毎に表示部に表示させる表示制御部と、入力部によって検索結果に含まれるコンテンツ関連情報のうちのいずれかを選択するためのコンテンツ選択情報の入力が受け付けられると、コンテンツ選択情報によって選択されるコンテンツ関連情報に対応付けられて検索結果に含まれているコンテンツ識別情報を取得し、取得したコンテンツ識別情報によって識別されるコンテンツデータに対してコンテンツ関連情報に対応付けられて検索結果に含まれている管理主体識別情報に応じた処理を実行する処理実行部と、を備える、情報処理装置が提供される。
【０００９】
検索処理部は、入力部によってコンテンツ関連情報に含まれる所定の文字列の中から少なくともいずれか１つを選択するための文字列選択情報の入力が受け付けられると、文字列選択情報によって選択される文字列を検索条件に設定して検索要求制御処理を行い、検索応答制御処理を行い、記憶制御処理を行うこととしてもよい。
【００１０】
記憶部は、固有名詞をさらに記憶し、表示制御部は、コンテンツ関連情報を表示部に表示させるに際して、コンテンツ関連情報から記憶部が記憶する固有名詞と一致する文字列を検索し、固有名詞と一致する文字列を所定の文字列として強調表示させることとしてもよい。
【００１１】
処理実行部は、さらに、コンテンツ選択情報によって選択されるコンテンツ関連情報とコンテンツ関連情報に対応付けられて検索結果に含まれているコンテンツ識別情報および管理主体識別情報とを対応付けて操作履歴として記憶部に記憶させることとしてもよい。
【００１２】
表示制御部は、入力部によって記憶部が記憶する操作履歴を表示する旨の情報の入力が受け付けられると、操作履歴に含まれるコンテンツ関連情報をコンテンツ関連情報に対応付けられて操作履歴に含まれている管理主体識別情報毎に表示部に表示させることとしてもよい。
【００１３】
処理実行部は、入力部によって操作履歴に含まれるコンテンツ関連情報のうちのいずれかを選択するためのコンテンツ選択情報の入力が受け付けられると、コンテンツ選択情報によって選択されるコンテンツ関連情報に対応付けられて操作履歴に含まれているコンテンツ識別情報を取得し、取得したコンテンツ識別情報によって識別されるコンテンツデータに対してコンテンツ関連情報に対応付けられて操作履歴に含まれている管理主体識別情報に応じた処理を実行することとしてもよい。
【００１４】
記憶部は、固有名詞をさらに記憶し、表示制御部は、入力部によって文字列の入力が受け付けられると、文字列を先頭部分に含む固有名詞を記憶部から抽出して表示部に表示させ、検索処理部は、入力部によって固有名詞を指定するための指定情報の入力が受け付けられると、指定情報によって指定される固有名詞を検索条件として使用することとしてもよい。
【００１５】
記憶部は、第１登録種別情報と第２登録種別情報と重み付けとが対応付けられてなる重み付け情報をさらに記憶し、情報処理装置は、記憶部に記憶されている検索履歴または操作履歴から固有名詞を抽出し、検索結果に含まれるコンテンツ関連情報から固有名詞を抽出した場合には検索結果から固有名詞を抽出した旨を示す情報を第１種別に設定し、操作履歴に含まれるコンテンツ関連情報から固有名詞を抽出した場合には操作履歴から固有名詞を抽出した旨を示す情報を第１種別に設定し、固有名詞のコンテンツ関連情報における区分を示す情報を第２種別に設定し、第１種別と第２種別とのそれぞれが一致する第１登録種別情報と第２登録種別情報とに対応付けられて重み付け情報に含まれている重み付けを取得して、取得した重み付けと固有名詞とを対応付けて固有名詞取得情報として記憶部に記憶させる固有名詞抽出部をさらに備え、表示制御部は、記憶部から固有名詞を抽出して表示部に表示させるに際して、固有名詞に対応付けられて固有名詞取得情報に含まれている重み付けの大きい順に並べて表示させることとしてもよい。
【００１６】
また、上記課題を解決するために、本発明の別の観点によれば、コンテンツデータを識別するためのコンテンツ識別情報とコンテンツデータに関連するコンテンツ関連情報とを含むコンテンツ情報を１以上管理する１以上の情報管理部と、情報を記憶することが可能である記憶部と、情報を表示することが可能である表示部と、情報の入力を受け付けることが可能である入力部と、入力部によって入力が受け付けられた検索条件を含む検索要求を１以上の情報管理部のそれぞれにさらに出力する検索要求制御処理を実行し、検索要求の応答としてコンテンツ情報のうちで検索条件に応じたコンテンツ情報とコンテンツ情報を管理する情報管理部を識別するための管理主体識別情報との入力を、１以上の情報管理部のそれぞれからさらに受け付ける検索応答制御処理を実行し、管理主体識別情報と入力を受け付けたコンテンツ情報に含まれるコンテンツ識別情報およびコンテンツ関連情報とを対応付けて検索結果として記憶部にさらに記憶させる記憶制御処理を実行する検索処理部と、検索結果に含まれるコンテンツ関連情報をコンテンツ関連情報に対応付けられて記憶部に記憶されている管理主体識別情報毎に表示部に表示させる表示制御部と、
入力部によって検索結果に含まれるコンテンツ関連情報のうちのいずれかを選択するためのコンテンツ選択情報の入力が受け付けられると、コンテンツ選択情報によって選択されるコンテンツ関連情報に対応付けられて検索結果に含まれているコンテンツ識別情報を取得し、取得したコンテンツ識別情報によって識別されるコンテンツデータに対してコンテンツ関連情報に対応付けられて検索結果に含まれている管理主体識別情報に応じた処理を実行する処理実行部と、を備える、情報処理装置が提供される。
【発明の効果】
【００１７】
以上説明したように本発明によれば、ユーザが検索条件に応じてコンテンツ関連情報に対する検索を始めてから所望のコンテンツに対する処理を選択するまでにかかる時間を低減することが可能である。
【図面の簡単な説明】
【００１８】
【図１】本実施形態に係る情報処理システムの構成を示す図である。
【図２】本実施形態に係る情報処理装置の機能構成を示す図である。
【図３】本実施形態に係る情報処理装置のハードウェア構成を示す図である。
【図４】本実施形態に係る情報処理システムによって実行される処理の流れを示す図である。
【図５】検索結果の表示例を示す図である。
【図６】操作履歴の表示例を示す図である。
【図７】検索条件の表示例を示す図である。
【図８】重み付け情報の構成例を示す図である。
【図９】情報処理装置の処理の流れを示すフローチャートである。
【発明を実施するための形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、説明は以下の順序で行う。
【００２０】
１．    第１実施形態
１−１．  情報処理システムの構成
１−２．  情報処理装置の機能構成
１−２−１．情報処理装置の基本構成
１−２−２．コンテンツ関連情報内の文字列を使用した再検索
１−２−３．固有名詞をもとにした文字列の強調表示
１−２−４．操作履歴の記録
１−２−５．操作履歴の表示
１−２−６．操作履歴をもとにした処理の実行
１−２−７．固有名詞を使用した検索キー入力の簡易化
１−２−８．重要度に応じた固有名詞の表示
１−３．  情報処理装置のハードウェア構成
１−４．  情報処理システムによって実行される処理の流れ
１−５．  検索結果の表示例
１−６．  操作履歴の表示例
１−７．  検索条件の表示例
１−８．  重み付け情報の構成例
１−９．  情報処理装置が実行する処理の流れ
２．    実施形態の変形例
３．    まとめ
【００２１】
＜１．第１実施形態＞
本発明の第１実施形態について説明する。
【００２２】
［１−１．情報処理システムの構成］
図１は、本実施形態に係る情報処理システムの構成を示す図である。図１に示すように、本実施形態に係る情報処理システムは、コンテンツ関連情報２２０を管理する情報管理装置２００と情報処理装置１００とがネットワーク３００を介して相互に通信可能にされている。図１には、情報管理装置２００として２つの情報管理装置２００（情報管理装置２００ａおよび情報管理装置２００ｂ）が示されているが、情報管理装置２００の数は、１以上であれば特に限定されるものではない。ネットワーク３００としては、例えば、インターネット等を使用することができるが、ネットワーク３００の種類は特に限定されるものではない。
【００２３】
コンテンツ関連情報２２０は、コンテンツデータに関連する情報であって、例えば、コンテンツデータの内容を示す付加情報、コンテンツデータのタイトル、コンテンツデータの内容を表す画像（関連画像）のデータ等を含むものである。付加情報やタイトルは、例えば、テキスト情報によって構成され、関連画像は画像データによって構成されている。図１には、コンテンツ関連情報２２０はそれぞれの情報管理装置２００に１つずつ管理される例が示されているが、それぞれの情報管理装置２００が管理するコンテンツ関連情報２２０の数は、１以上であれば特に限定されるものではない。
【００２４】
コンテンツ関連情報２２０に対応するコンテンツデータ２１０は、例えば、番組データなどの映像音声データ、静止画データ、動画データ、テキスト情報等によって構成されるが、コンテンツデータ２１０の種類は特に限定されるものではない。コンテンツデータ２１０はどの装置によって管理されてもよいが、図１では、コンテンツ関連情報２２０ａに対応するコンテンツデータ２１０ａが情報管理装置２００ａとは別の装置であるコンテンツ管理装置８００ａによって管理されている。また、コンテンツ関連情報２２０ｂに対応するコンテンツデータ２１０ｂが情報管理装置２００ｂによって管理されている。図１に示すように、コンテンツデータ２１０ａは、情報管理装置２００ｂからネットワーク３００を介して情報処理装置１００に提供されることとしてもよいし、コンテンツ管理装置８００ａからネットワーク３００を介さずに情報処理装置１００に提供されることとしてもよい。
【００２５】
［１−２．情報処理装置の機能構成］
［１−２−１．情報処理装置の基本構成］
図２は、本実施形態に係る情報処理装置の機能構成を示す図である。図２に示すように、情報処理装置１００は、送受信部１１０と、入力部１２０と、制御部１３０と、記憶部１４０と、表示部１５０とを備えるものである。
【００２６】
送受信部１１０は、１以上の情報管理装置２００のそれぞれとの間においてネットワーク３００を介して情報の送受信を行うことが可能である。情報管理装置２００は、コンテンツデータ２１０を識別するためのコンテンツ識別情報とコンテンツデータ２１０に関連するコンテンツ関連情報２２０とを含むコンテンツ情報を１以上管理する。コンテンツ識別情報は、コンテンツデータ２１０を識別するための情報であれば特に限定されるものではないが、コンテンツ識別情報としては、例えば、コンテンツデータ２１０が存在するアドレスを示すＵＲＬ（Ｕｎｉｆｏｒｍ  Ｒｅｓｏｕｒｃｅ  Ｌｏｃａｔｏｒ）を使用することができる。また、例えば、コンテンツデータ２１０がテレビ番組のコンテンツデータである場合には、そのテレビ番組の放映される日付と時刻とをコンテンツ識別情報として使用することもできる。送受信部１１０は、例えば、通信装置等によって構成され、例えば、後に説明するネットワークインターフェース９１２に相当する。
【００２７】
入力部１２０は、例えば、入力装置等によって構成され、情報の入力を受け付けることが可能なものである。入力部１２０は、例えば、マウス、キーボード、タッチパネル、ボタン、スイッチ、レバーなどユーザからの操作情報の入力を受け付ける機能を有するものによって構成される。また、入力装置は、例えば、赤外線やその他の電波を利用したリモートコントロール手段（いわゆる、リモコン）であってもよいし、情報処理装置１００の操作に対応した携帯電話やＰＤＡ等の外部接続機器であってもよい。情報処理装置１００のユーザは、この入力装置を操作することにより、情報処理装置１００に対して各種のデータを入力したり処理動作を指示したりすることができる。入力部１２０は、例えば、例えば、後に説明するリモート操作入力部９４４に相当する。
【００２８】
記憶部１４０は、情報を記憶することが可能なものである。記憶部１４０は、例えば、データ格納用のストレージ装置によって構成される。ストレージ装置は、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。また、ストレージ装置は、ＣＰＵ（Ｃｅｎｔｒａｌ  Ｐｒｏｃｅｓｓｉｎｇ  Ｕｎｉｔ）が実行するプログラムや各種データ、および外部から取得したデータなどを格納することが可能である。記憶部１４０は、例えば、後に説明する固定記録装置に相当する。
【００２９】
表示部１５０は、例えば、表示装置等によって構成され、情報を表示することが可能なものである。表示装置の種類は特に限定されるものではなく、表示装置としては、例えば、ＣＲＴディスプレイ装置、液晶ディスプレイ装置、プラズマディスプレイ装置、ＥＬディスプレイ装置、ランプなどを使用することができる。
【００３０】
制御部１３０は、表示制御部１３１と、検索処理部１３２と、処理実行部１３３とを有するものである。制御部１３０は、例えば、ＣＰＵ、ＲＡＭ（Ｒａｎｄｏｍ  Ａｃｃｅｓｓ  Ｍｅｍｏｒｙ）等によって構成され、ＣＰＵがＨＤＤから読み出してＲＡＭに展開したプログラムを実行することによってその機能が実現される。ＣＰＵは、例えば、後に説明する演算装置に相当し、ＲＡＭは、例えば、後に説明する一時記憶装置に相当する。
【００３１】
検索処理部１３２は、入力部１２０によって検索条件の入力が受け付けられると、入力部１２０によって入力が受け付けられた検索条件を含む検索要求を１以上の情報管理装置２００のそれぞれに送信する処理を送受信部１１０に実行させる検索要求制御処理を行う。入力部１２０によって入力が受け付けられた検索条件の表示例については、図７を参照して後述する。
【００３２】
また、検索処理部１３２は、検索要求の応答としてコンテンツ情報のうちで検索条件に応じたコンテンツ情報とそのコンテンツ情報を管理する情報管理装置２００を識別するための管理主体識別情報とを、ネットワーク３００を介して１以上の情報管理装置２００のそれぞれから受信する処理を送受信部１１０に実行させる検索応答制御処理を行う。検索条件に応じたコンテンツ情報とは、例えば、コンテンツ関連情報が検索条件の一部または全部に合致する文字列を含む場合に、そのコンテンツ関連情報を含むコンテンツ情報を意味するものとする。管理主体識別情報は特に限定されるものではないが、例えば、管理主体識別情報として、情報管理装置２００に割り当てられているＩＰ（Ｉｎｔｅｒｎｅｔ  Ｐｒｏｔｏｃｏｌ）アドレス等を使用することができる。
【００３３】
さらに、検索処理部１３２は、管理主体識別情報と送受信部１１０によって受信されたコンテンツ情報に含まれるコンテンツ識別情報およびコンテンツ関連情報とを対応付けて検索結果として記憶部１４０に記憶させる記憶制御処理を行う。検索結果の表示例については、図５を参照して後述する。
【００３４】
表示制御部１３１は、検索結果に含まれるコンテンツ関連情報をそのコンテンツ関連情報に対応付けられて記憶部１４０に記憶されている管理主体識別情報毎に表示部１５０に表示させる。
【００３５】
処理実行部１３３は、入力部１２０によって検索結果に含まれるコンテンツ関連情報のうちのいずれかを選択するためのコンテンツ選択情報の入力が受け付けられると、コンテンツ選択情報によって選択されるコンテンツ関連情報に対応付けられて検索結果に含まれているコンテンツ識別情報を取得する。処理実行部１３３は、取得したコンテンツ識別情報によって識別されるコンテンツデータ２１０に対してそのコンテンツ関連情報に対応付けられて検索結果に含まれている管理主体識別情報に応じた処理を実行する。
【００３６】
管理主体識別情報に応じた処理としては、例えば、管理主体識別情報がビデオ配信を行うビデオ配信サーバを識別するための情報である場合には、ビデオ配信サーバからコンテンツデータを受信して再生する処理が想定される。ビデオ配信サーバからコンテンツデータを受信するには、ビデオ配信サーバにコンテンツ識別情報を含んだ配信要求を送信し、その要求に対する応答としてコンテンツ識別情報によって識別されるコンテンツデータを受信することとすればよい。
【００３７】
また、管理主体識別情報に応じた処理としては、例えば、管理主体識別情報がメディアレンタルを行うメディアレンタルサーバを識別するための情報である場合には、メディアレンタルサーバにコンテンツデータが記録されたメディアを借りようとする旨を示す要求を送信する処理が想定される。メディアレンタルサーバにメディアを借りようとする旨を示す要求を送信するには、メディアレンタルサーバにコンテンツ識別情報を含んだ要求を送信し、その要求に対する応答としてコンテンツ識別情報によって識別されるコンテンツデータの貸し出しを行う旨を示す情報を受信することとすればよい。メディアレンタルサーバに要求が登録されると、メディアレンタル業者からユーザに対してコンテンツデータが記録されたメディアの貸し出しが行われる。
【００３８】
さらに、管理主体識別情報に応じた処理としては、例えば、管理主体識別情報がメディア販売を行うメディア販売サーバを識別するための情報である場合には、メディア販売サーバにコンテンツデータが記録されたメディアを購入しようとする旨を示す要求を送信する処理が想定される。メディア販売サーバにメディアを購入しようとする旨を示す要求を送信するには、メディア販売サーバにコンテンツ識別情報を含んだ要求を送信し、その要求に対する応答としてコンテンツ識別情報によって識別されるコンテンツデータの販売を行う旨を示す情報を受信することとすればよい。メディア販売サーバに要求が登録されると、メディア販売業者からユーザに対してコンテンツデータが記録されたメディアの販売が行われる。
【００３９】
また、管理主体識別情報に応じた処理としては、例えば、管理主体識別情報がＥＰＧ（Ｅｌｅｃｔｒｉｃ  Ｐｒｏｇｒａｍ  Ｇｕｉｄｅ）を提供するＥＰＧサーバを識別するための情報である場合には、放送局から受信する番組データの録画を予約する処理が想定される。番組データの録画を予約する処理とは、例えば、番組を特定する情報（例えば、放送局を特定するための選局情報（チャンネル）、放送日付、放送開始時刻、放送終了時刻等）を予約情報として記憶部１４０に登録することを意味する。情報処理装置１００は、録画を予約する処理が完了し、予約情報の中に現在日付および現在時刻のそれぞれに達した放送日付および放送開始時刻があればその予約情報内の選局情報によって選局される放送局から提供されるコンテンツデータを記憶部１４０に記録する処理を開始する。情報処理装置１００は、予約情報の中に現在日付および現在時刻に達した放送日付および放送終了時刻に達したものがあればその予約情報の選局情報によって選局される放送局から提供されるコンテンツデータを記憶部１４０に記録する処理を終了する。
【００４０】
上記したように、コンテンツ関連情報を管理する主体は、情報処理装置１００の外部に存在してもよいが、情報処理装置１００の内部に存在することとしてもよい。その場合には、情報処理装置１００は、コンテンツデータを識別するためのコンテンツ識別情報とコンテンツデータに関連するコンテンツ関連情報２２０ｃとを含むコンテンツ情報を１以上管理する１以上の情報管理部１６０を備えることになる。情報管理部１６０は、例えば、コンテンツ関連情報の一例としてＥＰＧデータを記憶しており、入力された検索要求に応じてＥＰＧデータを出力する。
【００４１】
検索処理部１３２は、入力部１２０によって入力が受け付けられた検索条件を含む検索要求を１以上の情報管理部１６０のそれぞれにさらに出力する検索要求制御処理を実行する。また、検索処理部１３２は、検索要求の応答としてコンテンツ情報のうちで検索条件に応じたコンテンツ情報とそのコンテンツ情報を管理する情報管理部１６０を識別するための管理主体識別情報との入力を、１以上の情報管理部１６０のそれぞれからさらに受け付ける検索応答制御処理を実行する。さらに、検索処理部１３２は、管理主体識別情報と入力を受け付けたコンテンツ情報に含まれるコンテンツ識別情報およびコンテンツ関連情報とを対応付けて検索結果として記憶部１４０にさらに記憶させる記憶制御処理を実行する。
【００４２】
図２に示すように、コンテンツデータ２１０（コンテンツデータ２１０ｃ）は、情報処理装置１００の内部に存在する情報管理部１６０が管理することとしてもよい。コンテンツデータ２１０ｃは、例えば、予約にしたがって録画された録画済み番組データであることが想定される。
【００４３】
［１−２−２．コンテンツ関連情報内の文字列を使用した再検索］
情報処理装置１００は、コンテンツ関連情報２２０内の文字列を検索条件として再度検索することとしてもよい。すなわち、入力部１２０によってコンテンツ関連情報２２０に含まれる所定の文字列の中から少なくともいずれか１つを選択するための文字列選択情報の入力が受け付けられる場合がある。その場合には、検索処理部１３２は、文字列選択情報によって選択される文字列を検索条件に設定して上記した検索要求制御処理を行い、上記した検索応答制御処理を行い、上記した記憶制御処理を行うこととしてもよい。
【００４４】
［１−２−３．固有名詞をもとにした文字列の強調表示］
また、情報処理装置１００は、コンテンツ関連情報２２０の中から固有名詞をもとに強調表示する文字列を探すこととしてもよい。すなわち、記憶部１４０は、固有名詞をさらに記憶し、表示制御部１３１は、コンテンツ関連情報２２０を表示部１５０に表示させるに際して、コンテンツ関連情報２２０から記憶部１４０が記憶する固有名詞と一致する文字列を検索し、固有名詞と一致する文字列を所定の文字列として強調表示させることとしてもよい。例えば、強調表示されている所定の文字列に対してリンクが張られており、ユーザが入力部１２０を介して強調表示されている所定の文字列の１つをクリックすると、検索処理部１３２が、クリックされた文字列を検索条件に設定して上記した検索要求制御処理を行い、上記した検索応答制御処理を行い、上記した記憶制御処理を行うこととしてもよい。
【００４５】
［１−２−４．操作履歴の記録］
処理実行部１３３は、入力部１２０によって入力が受け付けられたコンテンツ選択情報によって選択されるコンテンツ関連情報に対応付けられて検索結果に含まれているコンテンツ識別情報を取得することとした。また、処理実行部１３３は、取得したコンテンツ識別情報によって識別されるコンテンツデータに対してコンテンツ関連情報に対応付けられて検索結果に含まれている管理主体識別情報に応じた処理を実行することとした。ここで、処理実行部１３３は、コンテンツ選択情報によって選択されるコンテンツ関連情報とそのコンテンツ関連情報に対応付けられて検索結果に含まれているコンテンツ識別情報および管理主体識別情報とを対応付けて操作履歴として記憶部１４０に記憶させることとしてもよい。操作履歴の表示例については、図６を参照して後述する。
【００４６】
［１−２−５．操作履歴の表示］
入力部１２０によって記憶部１４０が記憶する操作履歴を表示する旨の情報の入力が受け付けられる場合がある。その場合には、表示制御部１３１は、操作履歴に含まれるコンテンツ関連情報をそのコンテンツ関連情報に対応付けられて操作履歴に含まれている管理主体識別情報毎に表示部１５０に表示させることとしてもよい。
【００４７】
［１−２−６．操作履歴をもとにした処理の実行］
入力部１２０によって操作履歴に含まれるコンテンツ関連情報のうちのいずれかを選択するためのコンテンツ選択情報の入力が受け付けられる場合がある。その場合には、処理実行部１３３は、コンテンツ選択情報によって選択されるコンテンツ関連情報に対応付けられて操作履歴に含まれているコンテンツ識別情報を取得することとしてもよい。そして、処理実行部１３３は、取得したコンテンツ識別情報によって識別されるコンテンツデータに対してコンテンツ関連情報に対応付けられて操作履歴に含まれている管理主体識別情報に応じた処理を実行することとしてもよい。
【００４８】
［１−２−７．固有名詞を使用した検索キー入力の簡易化］
また、情報処理装置１００は、固有名詞を使用してユーザによる検索キー入力を簡易化することも可能である。そのためには、例えば、記憶部１４０は、固有名詞をさらに記憶し、表示制御部１３１は、入力部１２０によって文字列の入力が受け付けられると、その文字列を先頭部分に含む固有名詞を記憶部１４０から抽出して表示部１５０に表示させる。検索処理部１３２は、入力部１２０によって固有名詞を指定するための指定情報の入力が受け付けられると、その指定情報によって指定される固有名詞を検索条件として使用する。
【００４９】
［１−２−８．重要度に応じた固有名詞の表示］
表示部１５０によって表示される固有名詞の表示位置については様々なものが想定されるが、入力部１２０がユーザから入力を受け付けた検索条件が表示される位置に近い位置にユーザにとって重要な固有名詞が表示されるほうがユーザによって便利である。そこで、情報処理装置１００は、検索履歴や操作履歴から固有名詞を抽出して、抽出した固有名詞のうちでユーザによって重要度の高いものから順に、検索条件が表示される位置に近い位置から遠い位置に向けて並べて表示するようにする。固有名詞の表示例については、図７を参照して後述する。
【００５０】
重要度の高い固有名詞から順に並べて表示するために、情報処理装置１００は、固有名詞抽出部１３４を備えることとし、記憶部１４０は、第１登録種別情報と第２登録種別情報と重み付けとが対応付けられてなる重み付け情報をさらに記憶することとする。重み付け情報については、図８を参照して後述する。第１登録種別と第２種別とはどのような情報であってもよいが、例えば、第１登録種別情報は、コンテンツ関連情報の所在を示す情報であり、第２登録種別情報は、コンテンツ関連情報の中の区分を示す情報であるとすることができる。コンテンツ関連情報の所在とは、例えば、検索履歴、操作履歴、録画済み番組データ、ＥＰＧデータ等が想定される。コンテンツ関連情報の中の区分とは、例えば、コンテンツデータのタイトル、コンテンツデータの内容を説明するための付加情報等が想定される。
【００５１】
固有名詞抽出部１３４は、記憶部１４０に記憶されている検索履歴または操作履歴から固有名詞を抽出する。続いて、固有名詞抽出部１３４は、検索結果に含まれるコンテンツ関連情報から固有名詞を抽出した場合には検索結果から固有名詞を抽出した旨を示す情報を第１種別に設定し、操作履歴に含まれるコンテンツ関連情報から固有名詞を抽出した場合には操作履歴から固有名詞を抽出した旨を示す情報を第１種別に設定する。さらに、固有名詞抽出部１３４は、その固有名詞のコンテンツ関連情報における区分を示す情報を第２種別に設定する。固有名詞抽出部１３４は、第１種別と第２種別とのそれぞれが一致する第１登録種別情報と第２登録種別情報とに対応付けられて重み付け情報に含まれている重み付けを取得して、取得した重み付けと固有名詞とを対応付けて固有名詞取得情報として記憶部１４０に記憶させる。
【００５２】
固有名詞抽出部１３４は、記憶部１４０に記憶されているＥＰＧデータや録画済み番組データから固有名詞を抽出することとしてもよい。その場合には、固有名詞抽出部１３４は、ＥＰＧデータに含まれるコンテンツ関連情報から固有名詞を抽出した場合にはＥＰＧデータから固有名詞を抽出した旨を示す情報を第１種別に設定し、録画済み番組データに含まれるコンテンツ関連情報から固有名詞を抽出した場合には録画済み番組データから固有名詞を抽出した旨を示す情報を第１種別に設定すればよい。
【００５３】
表示制御部１３１は、記憶部１４０から固有名詞を抽出して表示部１５０に表示させるに際して、固有名詞に対応付けられて固有名詞取得情報に含まれている重み付けの大きい順に並べて表示させることとすればよい。表示制御部１３１は、例えば、抽出した固有名詞を、重み付けの大きい順に検索条件が表示される位置に近い位置から遠い位置に向けて並べて表示するようにすればよい。
【００５４】
［１−３．情報処理装置のハードウェア構成］
図３は、本実施形態に係る情報処理装置のハードウェア構成を示す図である。なお、図３に示す情報処理装置１００のハードウェア構成は一例にすぎず、情報処理装置１００
のハードウェア構成はこれに限定されるものではない。図３に示すように、本実施形態に係る情報処理装置１００は、外部からの信号の送受信装置として、コンテンツ管理装置８００の一例としての放送局との間においてコンテンツデータ２１０の一例としてのテレビ信号を送受信するテレビ信号送受信装置９１０を有する。また、情報処理装置１００は、ネットワーク３００の一例としてのインターネットとの通信を行うネットワークインターフェース９１２を有する。
【００５５】
また、情報処理装置１００は、情報管理装置２００ｂとネットワークインターフェース９１２との間において送受信される信号（コンテンツデータ２１０ａおよびコンテンツ関連情報２２０ｂ）を用いるビデオ配信受信装置９１４を有する。さらに、情報処理装置１００は、ディスク（メディア）の購入・レンタルを行うためのプログラムであるインターネットブラウザ９１６を有する。また、情報処理装置１００は、光ディスクの記録・再生を行うディスク記録再生装置９１８を有する。
【００５６】
さらに、情報処理装置１００は、テレビ信号送受信装置９１０が受信したテレビ番組データとビデオ配信データとを固定記録装置９２０とディスク記録再生装置９１８とにそれぞれ保存することができる。固定記録装置９２０は、テレビ番組データ（記録済み番組データ９２１）のほかに録画予約情報９２２、固有名詞データベース９２３等を記録することができる。ビデオ配信受信装置９１４によって受信されたビデオ信号や、ディスク記録再生装置９１８に記録されたビデオ信号は、ビデオ伸長装置９３０を経由してビデオ表示装置９３２にて表示することができる。
【００５７】
これらの装置は、リモートコントローラ等からリモート操作入力部９４４によって受信された信号と固定記録装置９２０に保存されたプログラムとを元に、演算装置９４０、一時記録装置９４２、固定記録装置９２０により制御される。演算装置９４０は、例えば、ＣＰＵによって構成され、一時記録装置９４２は、例えば、ＲＡＭによって構成され、固定記録装置９２０は、例えば、ＨＤＤによって構成される。
【００５８】
［１−４．情報処理システムによって実行される処理の流れ］
図４は、本実施形態に係る情報処理システムによって実行される処理の流れを示す図である。図４では、実線の矢印は、データの流れを示し、破線の矢印は、処理の流れを示している。図４に示すように、まず、情報処理装置１００は、ユーザから検索条件の一例としての検索キーワードの入力を受け付ける（ステップＳ１０１）。
【００５９】
情報処理装置１００は、検索キーワードをもとに、複数の管理主体のそれぞれが管理するそれぞれのコンテンツ関連情報２２０を検索する（ステップＳ１０２）。管理主体としては、情報管理装置２００や情報管理部１６０が想定される。情報管理装置２００が管理するコンテンツ関連情報２２０としては、ビデオ配信サーバが管理するビデオ配信一覧データ２２０ｈ、ディスク販売・レンタルサーバが管理するディスク販売・レンタル一覧データ２２０ｄ、ＥＰＧサーバが管理するテレビプログラムガイドデータ２２０ｅ等が想定される。情報管理部１６０が管理するコンテンツ関連情報２２０としては、録画済み番組データ２２０ｇ、テレビプログラムガイドデータ２２０ｆ等が想定される。テレビプログラムガイドデータ２２０ｆは、ＥＰＧサーバが管理するテレビプログラムガイドデータ２２０ｅから取り込まれたものであってもよいし、記録媒体等から読み込まれたものであってもよい。
【００６０】
情報処理装置１００は、検索により取得した検索結果を表示する（ステップＳ１０３）。情報処理装置１００は、検索結果として、コンテンツのタイトル、コンテンツの内容を示すコンテンツ付加情報、コンテンツに関連する関連画像（サムネイル画像）等のコンテンツ関連情報、コンテンツを識別するためのコンテンツ識別情報の一例としてのアドレス情報、その他（ＴＶのチャンネル番号や放送時間等）を表示する。
【００６１】
ユーザが検索結果をもとにコンテンツ（項目）を一つ選択すると、そのコンテンツ（項目）選択を受け（ステップＳ１０４）、選択されたコンテンツの内容に従って、選択されたコンテンツに対する処理（コンテンツの再生や、録画予約、メディアの購入・レンタルなど）を行う（ステップＳ１０５）。情報処理装置１００は、これらの操作履歴を内部に記録して表示することにより、一度処理を行ったコンテンツと同じコンテンツに対して処理を再び行うときに検索キーワードの入力を簡便化することができる。
【００６２】
情報処理装置１００は、（固有名詞）データベース９２４から固有名詞を取得し（ステップＳ１０７）、取得した固有名詞に基づいて、検索結果・操作履歴のコンテンツ付加情報に含まれる固有名詞を抽出する（ステップＳ１０８）。情報処理装置１００は、抽出した固有名詞に対して検索操作へのリンクを作成して、リンクが加えられた検索結果・操作履歴を表示する。これにより、ユーザは、表示されたコンテンツの中から処理対象のコンテンツを選択するだけでなく、検索キーワードとして表示された（ステップＳ１０９）固有名詞から検索したい固有名詞を選択することにより再び検索を行うことができる。
【００６３】
また、情報処理装置１００は、ステップＳ１０１における検索キーワードの入力について、（固有名詞）データベース９２４から入力中の文字に前方一致する固有名詞を検索し、重み付け順に入力候補として表示する（ステップＳ１１０）。情報処理装置１００は、外部データベース４１０、テレビプログラムガイドデータ２２０ｆ、検索結果、操作履歴等から、タイトルとコンテンツ付加情報とに含まれる固有名詞を抽出し、抽出した固有名詞のそれぞれに重み付けを付加し（ステップＳ１１１）、データベース９２４に登録する。
【００６４】
［１−５．検索結果の表示例］
図５は、検索結果の表示例を示す図である。図５には、検索結果として、管理主体情報５１０と、コンテンツ関連情報（付加情報なし）５２０と、コンテンツ関連情報情報（付加情報あり）５３０とが表示されている例が示されている。表示画面の広さによっては、コンテンツ関連情報（付加情報なし）５２０は表示されないこととしてもよい。
【００６５】
管理主体情報５１０は、管理主体識別情報によって識別される管理主体の名称とその管理主体から取得されたコンテンツ関連情報の数（項目数）とが対応付けられてなる情報である。項目数は必ずしも管理主体情報５１０に含まれていなくてもよい。ユーザが管理主体情報５１０のいずれかを選択すると、その管理主体識別情報に対応するコンテンツ関連情報（付加情報なし）５２０が表示されることとしてもよい。また、ユーザの選択によらずに各管理主体識別情報に対応するコンテンツ関連情報（付加情報なし）５２０が表示されることとしてもよい。図５に示す例では、ユーザが管理主体情報５１１を選択し、その管理主体識別情報に対応するコンテンツ関連情報（付加情報なし）５２０が表示されている。
【００６６】
ユーザがコンテンツ関連情報（付加情報なし）５２０のいずれかを選択すると、そのコンテンツ関連情報に対応するコンテンツ関連情報（付加情報あり）５３０が表示される。図５に示す例では、ユーザがコンテンツ関連情報（付加情報なし）５２１を選択し、そのコンテンツ関連情報（付加情報なし）５２１に対応するコンテンツ関連情報（付加情報あり）が表示されている。
【００６７】
コンテンツ関連情報（付加情報あり）５３０の中から抽出された固有名詞には、ユーザによって選択できるようにリンクが張られている。図５に示した例では、ユーザは、タイトルから抽出された固有名詞５３１、付加情報から抽出された固有名詞５３２（５３２ａ）、付加情報から抽出された固有名詞５３２（５３２ｂ）を選択することが可能であり、選択した固有名詞を検索キーとして再度検索することが可能である。また、図５に示した例では、ユーザは、付加情報から抽出された固有名詞５３２（５３２ｃ）、付加情報から抽出された固有名詞５３２（５３２ｄ）を選択することが可能であり、選択した固有名詞を検索キーとして再度検索することが可能である。
【００６８】
また、各管理主体情報５１０に応じた処理を選択するためのボタンが表示されることとしてもよい。図５に示した例では、管理主体情報５１０が「ビデオ配信、項目数＝１０」に対して「ビデオ配信再生ボタン５４１」が対応付けられて表示され、管理主体情報５１０が「テレビ番組、項目数＝１５」に対して「録画予約ボタン５４２」が対応付けられて表示されている。
【００６９】
［１−６．操作履歴の表示例］
図６は、操作履歴の表示例を示す図である。図６には、操作履歴として、コンテンツ関連情報（付加情報なし）６１０と、コンテンツ関連情報情報（付加情報あり）６２０とが表示されている例が示されている。表示画面の広さによっては、コンテンツ関連情報（付加情報なし）６１０は表示されないこととしてもよい。
【００７０】
ユーザがコンテンツ関連情報（付加情報なし）６１０のいずれかを選択すると、そのコンテンツ関連情報に対応するコンテンツ関連情報（付加情報あり）６２０が表示される。図６に示す例では、ユーザがコンテンツ関連情報（付加情報なし）６１１を選択し、そのコンテンツ関連情報（付加情報なし）６１１に対応するコンテンツ関連情報（付加情報あり）が表示されている。
【００７１】
コンテンツ関連情報（付加情報あり）６２０の中から抽出された固有名詞には、ユーザによって選択できるようにリンクが張られている。図６に示した例では、ユーザは、タイトルから抽出された固有名詞６２１、付加情報から抽出された固有名詞６２２（６２２ａ）、付加情報から抽出された固有名詞６２２（６２２ｂ）を選択することが可能であり、選択した固有名詞を検索キーとして再度検索することが可能である。
【００７２】
また、図６に示した例では、コンテンツ関連情報（付加情報なし）６１１に対応付けられて「ビデオ配信再生ボタン６４１」が表示されている。
【００７３】
［１−７．検索条件の表示例］
図７は、検索条件の表示例を示す図である。図７に示す例では、検索条件入力欄７１０と、固有名詞リスト７２０とが表示されている。検索条件入力欄７１０には、ユーザが入力した検索条件が表示される。固有名詞リスト７２０は、固有名詞データベース９２３から出力された１または複数の固有名詞を表示するものである。ユーザによって固有名詞リスト７２０の中からいずれかの固有名詞が選択されることによって、選択された固有名詞が検索条件入力欄７１０に設定されるものである。図７に示した例では、ユーザが検索条件として入力した「Ａｂｂ」で始まる固有名詞が固有名詞リスト７２０に表示されている。例えば、固有名詞リスト７２０の中で、検索条件入力欄７１０に近い位置には、ユーザにとって重要度の高い固有名詞が表示されることとするとユーザにとって便利である。
【００７４】
［１−８．重み付け情報の構成例］
図８は、重み付け情報の構成例を示す図である。図８に示す例では、重み付け情報は、重み付けと抽出元情報とが対応付けられた構成となっている。重み付けは、例えば、数値で表現され、数値が大きいほど重み付けが強いことを表すものとすることができるが、これに限定されるものではない。抽出元情報は、上記した第１登録種別情報と第２登録種別情報との組み合わせの一例を示すものである。第１登録種別情報としては、「操作履歴」「検索結果」「ＥＰＧ」「外部データベース」が登録され、第２登録種別情報としては、「タイトル」「コンテンツ付加情報」「出演者」が登録されている。
【００７５】
［１−９．情報処理装置が実行する処理の流れ］
図９は、情報処理装置が実行する処理の流れを示すフローチャートである。図９に示すように、情報処理装置１００は、まず、検索条件の入力を受け付ける（ステップＳ２０１）。続いて、情報処理装置１００は、入力を受け付けた検索条件に応じたコンテンツ情報とそのコンテンツ情報を管理する管理主体識別情報とを検索結果として取得する（ステップＳ２０２）。情報処理装置１００は、取得した管理主体識別情報毎に取得したコンテンツ情報に含まれるコンテンツ関連情報を表示する（ステップＳ２０３）。
【００７６】
情報処理装置１００は、取得したコンテンツ関連情報の中からいずれかのコンテンツ関連情報を選択するためのコンテンツ選択情報の入力を受け付ける（ステップＳ２０４）。情報処理装置１００は、入力を受け付けたコンテンツ選択情報によって選択されるコンテンツ関連情報に対応付けられたコンテンツ識別情報と管理主体識別情報とを検索結果から取得する（ステップＳ２０５）。情報処理装置１００は、そのコンテンツ識別情報によって識別されるコンテンツデータに対してその管理主体識別情報に応じた処理を実行する（ステップＳ２０６）。
【００７７】
＜２．実施形態の変形例＞
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００７８】
＜３．まとめ＞
本実施形態によれば、  １回の検索操作によって、ビデオ配信、メディア販売、メディアレンタル、ＥＰＧデータ提供、録画済コンテンツ再生等のサービス提供装置（またはサービス提供部）から検索を行うことができる。また、検索結果からいずれかのコンテンツを選択すると、選択したコンテンツに対してサービスに応じた処理を行うことができる。また、ユーザは、検索結果や操作履歴に含まれた固有名詞からいずれかの固有名詞を選択することで、選択した固有名詞を検索キーとして再度検索を行うことができる。
【００７９】
また、本実施形態によれば、検索結果や操作履歴として記録されたコンテンツ関連情報から固有名詞データベースに基づいて固有名詞の抽出を行い、抽出した固有名詞を検索キーワードの入力の際に使用することができる。これによって、ユーザによる検索条件の入力を簡便にすることができる。
【００８０】
また、ＥＰＧデータ、検索結果、操作履歴等から、コンテンツのタイトル、固有名詞の抽出を行うことが可能であり、抽出元を示すパラメータに従って、タイトルや固有名詞に重み付けを付加して固有名詞データベースに登録することができる。登録された固有名詞は、付加された重み付けにしたがって検索条件の入力の際に表示され、ユーザは表示された固有名詞を選択することで検索条件の入力をより簡単に行うことができる。
【符号の説明】
【００８１】
１００  情報処理装置
１１０  送受信部
１２０  入力部
１３０  制御部
１３１  表示制御部
１３２  検索処理部
１３３  処理実行部
１３４  固有名詞抽出部
１４０  記憶部
１５０  表示部
１６０  情報管理部
【図１】
2010267094.tif 000003
【図２】
2010267094.tif 000004
【図３】
2010267094.tif 000005
【図４】
2010267094.tif 000006
【図５】
2010267094.tif 000007
【図６】
2010267094.tif 000008
【図７】
2010267094.tif 000009
【図８】
2010267094.tif 000010
【図９】
2010267094.tif 000011